(57)【要約】【課題】高い止水効果を得るとともに、先導体を支持可能な止水装置を提供すること。【解決手段】推進方向に沿って土中を推進する先導体１１０により坑口エントランス２１０から推進し、推進管１３０を設置させる推進工法に用いられ、先導体１１０の発進及び到達時の少なくとも一方において、坑口エントランス２１０に設けられる止水装置１として、円筒状の第１部材２４及び第１部材２４の両端側にそれぞれ固定される円環状の第２部材２５を具備し、一方の第２部材２５を介して坑口エントランス２１０に固定される固定部材２１と、弾性変形する樹脂材料で形成され、固定部材２１の内周側であって第１部材２４及び第２部材２５間に固定して設けられ、その内面及び第１部材２４間に空気が封入されることにより固定部材２１の内周側で環状に膨張するとともに、膨張により先導体１１０の外周面及び溝１３０に密着する膨張部材２２と、を備える構成とする。【選択図】      図２
2012097421.tif 000002
【特許請求の範囲】
【請求項１】
その推進方向に沿って土中を推進する先導体を有する推進装置により、前記先導体を坑口エントランスから推進させて推進管を設置する推進工法に用いられ、前記先導体の発進及び到達時の少なくとも一方において、前記坑口エントランスに設けられる止水装置であって、
円筒状の第１部材、及び、この第１部材の両端側にそれぞれ固定される円環状の第２部材を具備し、前記第２部材の一方を介して前記坑口エントランスに固定されるとともに、その内部を前記推進装置が通過する固定部材と、
弾性変形する樹脂材料で形成され、前記固定部材の内周側であって前記第１部材及び前記第２部材間に固定して設けられ、その内面及び前記第１部材間に流体が封入されることにより前記固定部材の内周側で環状に膨張するとともに、前記膨張により前記推進装置の外周面及び前記溝に密着する膨張部材と、
を備えることを特徴とする止水装置。
【請求項２】
前記膨張部材は、ゴム部材により少なくとも２重に形成されていることを特徴とする請求項１に記載の止水装置。
【請求項３】
前記膨張部材と、前記第２部材との間に設けられ、少なくとも前記第２部材の内径よりもその内径が小径に形成され、前記膨張部材の一部を覆う円環板状保護部材をさらに備えることを特徴とする請求項１に記載の止水装置。
【請求項４】
前記坑口エントランスと前記固定部材との間に介在され、前記坑口エントランス及び前記固定部材間を密閉するシール部材をさらに備えることを特徴とする請求項１に記載の止水装置。
【請求項５】
前記シール部材は、
金属材料で形成された円環板状の支持部材と、
前記支持部材の両方の主面にそれぞれ設けられ、弾性変形することで、前記坑口エントランスと前記固定部材及び前記膨張部材との間を密閉する密閉部材と、
を備えることを特徴とする請求項４に記載の止水装置。
【請求項６】
前記流体を前記固定部材及び前記膨張部材間に圧送する流体圧縮機と、
前記流体圧縮機及び前記固定部材との間に設けられ、前記固定部材及び前記膨張部材間に封入される流体を制御可能に形成された弁装置と、
を備えることを特徴とする請求項１に記載の止水装置。
【発明の詳細な説明】
【技術分野】
【０００１】
本発明は、推進装置の先導体が通過する坑口に設けられる止水装置に関する。
【背景技術】
【０００２】
現在、土中を掘削する工法として、推進工法が知られている。この推進工法は、発進立坑から元押装置で先導体に推進力を加えて土中を推進させる推進装置の先導体を用いて土中を掘削する。また、順次先導体の後方に配管用パイプとなる推進管を順次接続させて、到達立坑まで掘削させる。
【０００３】
到達立坑まで掘削したら、到達立坑より先導体を撤去することで、推進管により当該土中に配管用パイプが配設される。なお、推進工法においては、先導体のカッタ回転により土中を掘削すると同時に、切羽面に添加剤を注入することで、掘削土を、流動性を持った泥土に変換させる。
【０００４】
このような推進工法を用いて掘削される土中には、土砂や岩石だけでなく、雨水や地下水等が含有することがある。このような水が含有された土中は、土質が軟らかく、このため、当該土中を掘削する場合には、先導体の発進又は到達時に先導体の周囲の土及び水が立坑に流入する虞がある。
【０００５】
そこで、坑口付近に薬液を注入し、土質を改善し、止水を行う補助工法を用いた技術が知られている。しかし、補助工法により土質の改良を行う範囲は、広い範囲となるため、施行期間が長期となる。また、推進工法においては、土圧を高めることが望まれるが、薬液により土質を改善する技術では、土圧を高めることが難しい。
【０００６】
さらに、先導体は、その外周に、土及び水を排出する排出溝を備えるものもあり、当該先導体を用いた場合に当該排出溝から立坑へと土や水が流入することを防止するとともに、排出溝を備えない先導体に比べ、土圧を保持することが難しい。
【０００７】
そこで、このような先導体の排出溝に対向して設けられ、当該排出溝の凹壁面に沿接して排出溝を封止するガスバックを有する坑口の止水構造が知られている（例えば、特許文献１参照）。また、坑口と当該排出溝との間にモルタルを塗布して止水する構成も知られている。
【先行技術文献】
【特許文献】
【０００８】
【特許文献１】特開２００２−１２９８８５号公報
【発明の概要】
【発明が解決しようとする課題】
【０００９】
上述した構成では、以下の問題があった。即ち、上述したガスバック及びモルタルにより止水を行う技術においては、先導体は、回転を行いながら推進するとともに、その自重により、先導体には、推進方向を中心に回転する方向、及び、下方へ倒れる方向に回転モーメントが加わる。この回転モーメントにより先導体が回動すると、止水を行う構成であるガスバック又はモルタルに対して排水溝がずれる虞があり、止水の効果が低減することがある。
【００１０】
また、坑口に対して先導体の位置合わせに高い精度が必要となるため、当該位置合わせに時間がかかり、作業性が悪い、という問題があった。例えば、作業時間を短縮させると、坑口に対して先導体の位置のずれが発生し、ガスバック及びモルタルによる止水効果が低減する虞がある。このため、坑口に対して先導体の位置合わせに高い精度を有することなく、高い密閉性を得ることが望まれる。これらのことから、より高い止水効果を得ることが可能な構成が要求されている。
【００１１】
そこで本発明は、高い止水効果を得ることが可能な止水装置を提供することを目的としている。
【課題を解決するための手段】
【００１２】
前記課題を解決し目的を達成するために、本発明の止水装置は、次のように構成されている。
【００１３】
本発明の一態様として、その推進方向に沿って土中を推進する先導体を有する推進装置により、前記先導体を坑口エントランスから推進させて推進管を設置する推進工法に用いられ、前記先導体の発進及び到達時の少なくとも一方において、前記坑口エントランスに設けられる止水装置であって、円筒状の第１部材、及び、この第１部材の両端側にそれぞれ固定される円環状の第２部材を具備し、前記第２部材の一方を介して前記坑口エントランスに固定されるとともに、その内部を前記推進装置が通過する固定部材と、弾性変形する樹脂材料で形成され、前記固定部材の内周側であって前記第１部材及び前記第２部材間に固定して設けられ、その内面及び前記第１部材間に流体が封入されることにより前記固定部材の内周側で環状に膨張するとともに、前記膨張により前記推進装置の外周面及び前記溝に密着する膨張部材と、を備える構成とする。
【発明の効果】
【００１４】
本発明によれば、高い止水効果を得ることが可能な止水装置を提供することが可能となる。
【図面の簡単な説明】
【００１５】
【図１】本発明の一実施形態に係る止水装置の構成を模式的に示す側面図。
【図２】同止水装置の構成を模式的に示す正面図。
【図３】同止水装置の構成を模式的に示す断面図。
【図４】同止水装置の要部構成を拡大して示す断面図。
【図５】同止水装置の使用の一例を模式的に示す正面図。
【発明を実施するための形態】
【００１６】
以下、本発明の一実施形態に係る止水装置１を、図１乃至図５を用いて説明する。  
図１は本発明の一実施形態に係る止水装置１の構成を側面から模式的に示す説明図、図２は止水装置１の止水環１０の構成であって、特に膨張部材２２の収縮時の構成を模式的に示す正面図、図３は止水装置１の図２におけるＩＩＩ−ＩＩＩ断面による構成であって、一部外面を示す断面図、図４は止水装置１の要部、特に、固定部材２１、膨張部材２２及び保護部材２３の構成を示す断面図、図５は止水装置１の使用の一例であって、特に膨張部材２２の膨張時の構成を模式的に示す正面図、である。なお、図１中の右側の推進装置１００の先導体１１０は、発進立坑２００からの発進時を、左側の先導体１１０は、到達立坑２０１への到着時をそれぞれ示している。
【００１７】
図１に示すように、止水装置１は、例えば、所謂エースモール工法又はエースモールＤＬ工法等のような推進工法において、坑口止水技術に用いられる装置である。なお、止水装置１が用いられる推進工法は、エールモール工法やエースモールＤＬ工法以外の工法であってもよい。このような止水装置１は、発進立坑２００に設けられた推進装置１００の発進及び到達立坑２０１への到達時に通過する坑口エントランス２１０に設けられる。
【００１８】
なお、推進装置１００は、先導体１１０、元押装置１２０、複数の推進管１３０と運転操作盤１４０を備えている。先導体１１０は、外郭部材１１１と、外郭部材１１１の先端に設けられたカッタヘッド１１２と、を備えている。外郭部材１１１は、その外面に、推進方向に沿って形成された泥土を排出する通路を形成する排出溝１１３を単数又は複数備えている。なお、図２及び図５中においては、外郭部材１１１は、排出溝１１３を４つ備えた構成を用いて説明する。但し、外郭部材１１１は、排出溝１１３を備えない構成であってもよい。
【００１９】
先導体１１０は、カッタヘッド１１２の回転により土中を掘削すると同時に、切羽面に添加剤を注入する添加剤噴出口と、外郭部材１１１の内部に設けられた添加剤通入管と、添加剤注入装置と、を備えているが、本実施の形態においては、その詳細な説明は省略する。
【００２０】
元押装置１２０は、先導体１１０を押圧可能に形成されている。推進管１３０は、先導体１１０の後方に配置される。推進管１３０は、先導体１１０の後方に繰り返し配置されることで、先導体１１０が到達立坑２０１に到達時に、掘削した掘削孔内に連続して配置され、配管用パイプを形成する。運転操作盤１４０は、先導体１１０の方向、カッタヘッド１１２の回転、元押装置１２０の押圧等を操作可能に形成されている。
【００２１】
また、坑口エントランス２１０は、発進立坑２００及び到達立坑２０１の壁面にそれぞれ設けられる。坑口エントランス２１０は、その側面に坑口２１１が形成されている。なお、坑口エントランス２１０は、例えば、その側面が開口し、坑口２１１が形成された壁面２１２がその側面にボルト等の締結部材Ｂにより締結されることで、当該開口を閉塞するとともに坑口２１１が形成される。
【００２２】
止水装置１は、止水環１０と、密閉部材１１と、弁装置１２と、流体圧縮機１３と、を備えている。
【００２３】
図２乃至図５に示すように止水環１０は、円筒状に設けられ、その内部を先導体１１０が挿通（通過）可能に形成されている。具体的には、止水環１０は、固定部材２１と、膨張部材２２と、保護部材２３と、を備えている。
【００２４】
固定部材２１は、止水環１０の外枠を構成するとともに、坑口エントランス２１０に締結部材Ｂ等により固定可能に形成されている。具体的には、固定部材２１は、円筒状であって、その両端部がフランジ状に形成された第１部材２４と、この第１部材２４の両端側にそれぞれ締結部材Ｂで固定される円環状の第２部材２５と、を備えている。
【００２５】
第１部材２４は、その外周面の一部に、流体圧縮機１３と配管Ｄを介して接続される接続部２６を備えている。接続部２６は、第１部材２４に設けられた第１部材２４の外周面及び内周面を連続する孔部（不図示）に設けられる。
【００２６】
接続部２６は、流体、例えば空気の流路を開閉可能な開閉弁２７と、外部へと空気を逃がす逃がし弁２８を備えている。第２部材２５は、その一方が坑口エントランス２１０に固定される。第２部材２５は、その内周面と第１部材２４と対向する側面の陵部が面取りされている。
【００２７】
膨張部材２２は、弾性変形する樹脂材料、例えば、ゴム材料で形成され、固定部材２１に固定されるとともに、固定部材２１の内周側に環状に膨張可能に形成されている。具体的には、膨張部材２２は、第１部材２４の内周部を覆うとともに、第１部材２４及び第２部材２５間に狭持されることで固定される。なお、膨張部材２２は、本実施の形態においては、複数枚、例えば２枚積層された２重構造により構成される。
【００２８】
膨張部材２２は、その内面及び第１部材２４間に、接続部２６を介して流体、例えば空気が封入されることで、固定部材２１の内周側で環状に膨張する。また、膨張部材２２は、図５に示すように、膨張時に、先導体１１０の外面及び排出溝１１３に密着可能に形成されている。
【００２９】
なお、膨張部材２２は、膨張により、先導体１１０の外面及び排出溝１１３と固定部材２１の内周面との間隙を密閉することで、坑口２１１からの泥土又は水を遮断可能に形成されている。
【００３０】
保護部材２３は、樹脂材料で形成され、円環板状に形成されている。保護部材２３は、膨張部材２２と第２部材２５との間に介在される。図４に示すように、保護部材２３は、その内径が、第２部材２４の内径よりも小さく形成されている。換言すると、保護部材２３は、その内周面が第２部材２４の内周面よりも、中心側に突出して形成される。保護部材２３は、膨張部材２２の一部を覆うことで、膨張部材２２の膨張時に第２部材２５の陵部に接触することを防止することで、膨張部材２２を保護可能に形成されている。
【００３１】
密閉部材１１は、第２部材２４及び坑口エントランス２１０間を密閉可能に形成されている。密閉部材１１は、円環板状の支持部材３１と、支持部材３１の両方の主面に設けられ、弾性変形可能な樹脂材料で形成されたシール部材３２と、を備えている。支持部材３１は、金属材料により形成されている。なお、支持部材３１は、例えば、固定部材２１を坑口エントランス２１０に固定させる際に固定部材２１に引きかける引掛部を有していてもよい。
【００３２】
これらシール部材３２は、支持部材３１と第２部材２５、及び、支持部材３１と坑口エントランス２１０の外面との間を密閉可能に形成されている。シール部材３２には、固定部材２１及び坑口エントランス２１０にそれぞれ設けられる締結部材Ｂ等が当接可能に形成されている。
【００３３】
弁装置１２は、エアコンプレッサ１３及び接続部２６を接続する配管Ｄの中途部に設けられ、膨張部材２２及び第１部材２４間に封入される空気を制御可能に形成されている。弁装置１２は、例えば、電磁開閉弁、逃し弁、リリーフ弁及び圧力計等を備え、膨張部材２２の膨張時及び収縮時に、開閉弁及び逃し弁を開閉することで、膨張部材２２の膨張及び収縮を制御する。即ち、弁装置１２は、少なくとも、膨張部材２２及び第１部材２４間に封入する空気の流路の開閉、及び、封入する空気の量を調整可能に形成されるとともに、膨張部材２２及び第１部材２４間の空気圧が所定の圧力以上に増圧することを防止可能に形成されている。
【００３４】
流体圧縮機１３は、例えば空気を圧縮するとともに、配管Ｄ及び弁装置１２を介して膨張部材２２に空気を圧送可能に形成されたエアコンプレッサ（以下「エアコンプレッサ１３」）である。
【００３５】
このように構成された止水装置１は、まず、図１の右側に示す止水装置１のように、発進立坑２００内に配置される。具体的には、止水装置１は、坑口エントランス２１０に止水環１０が固定部材２１及び締結部材Ｂを介して固定される。
【００３６】
次に、発進立坑２００内に配置された先導体１１０の一部、例えば、外郭部材１１１の排出溝１１３を固定部材２１と対向するように固定部材２１に挿通させるとともに、図１中二点差線で示す推進方向に向かうよう推進装置１００を配置させる。
【００３７】
この状態で、止水装置１は、エアコンプレッサ１３を駆動させるとともに、弁装置１２により、膨張部材２２に空気を圧送し、膨張部材２２を膨張させる。図５に示すように、圧送された空気により膨張した膨張部材２２は、先導体１１０（外郭部材１１１）の外面及び排出溝１１３に密着するとともに、膨張部材２２及び第１部材２４間に封入された空気により、先導体１１０を支持する。
【００３８】
この状態で、先導体１１０は、カッタヘッド１１２を駆動させるとともに、元押装置１２０により先導体１１０を押圧し、土中を掘削する。なお、先導体１１０の推進中又は任意の距離推進した後、弁装置１２により、膨張部材２２の圧力を調整し、又は、弁装置１２の逃し弁により膨張部材２２及び第１部材２４間に封入された空気を逃し、先導体１１０に対する膨張部材２２の密着及び支持の調整又は解除を行う。
【００３９】
なお、その後、推進装置１００を、土中を推進させながら、先導体１１０の後方に推進管１３０を配置させる。このように、到達立坑２０１付近になるまで推進装置１００を推進させる。
【００４０】
次に、止水装置１を到達立坑２０１に配置する。具体的には、止水装置１は、坑口エントランス２１０に止水環１０が固定される。
【００４１】
次に、先導体１１０の一部、例えば、カッタヘッド１１２を、外郭部材１１１の排出溝１１３が固定部材２１と対向するように固定部材２１を通過させるとともに、図１中左側に示すように、カッタヘッド１１２を固定部材２１から到達立坑２０１内に位置するように推進装置１００を推進させる。
【００４２】
この状態で、止水装置１は、エアコンプレッサ１３を駆動させるとともに、弁装置１２により、膨張部材２２及び第１部材２４間に空気を圧送及び封入し、膨張部材２２を膨張させる。図５に示すように、膨張した膨張部材２２が先導体１１０の外面及び排出溝１１３に密着するとともに、膨張部材２２を膨張させた空気により、先導体１１０を支持する。
【００４３】
この状態で、元押装置１２０により先導体１１０を押圧するとともに、推進管１３０が発進立坑２００から到達立坑２０１間での土中を連続するように、推進管１３０を押圧する。なお、先導体１１０が所定の位置まで移動後、弁装置１２の逃し弁から、膨張部材２２及び第１部材２４間に封入された空気を逃し、先導体１１０に対する膨張部材２２の密着及び支持を解除させる。このようにして、止水装置１は、推進工法において坑口止水技術に用いられる。
【００４４】
このように構成された止水装置１によれば、先導体１１０と固定部材２１との間を膨張部材２２で密閉することで、結果、先導体１１０と坑口エントランス２１０との隙間を密閉することとなり、坑口エントランス２１０内の土圧を保持し、坑口２１１から立坑２００，２０１への泥土や水を遮断し、立坑２００，２０１への泥土及び水の流入を防止することが可能となる。
【００４５】
止水装置１は、先導体１１０の全周方向において膨張した膨張部材２２により一体に密閉させることから、確実に密閉することが可能となり、高い止水効果を得ることが可能となる。
【００４６】
止水装置１は、空気により膨張させた膨張部材２２を先導体１１０の外面及び排出溝１１３に密着させるとともに、膨張部材２２の内部の空気により先導体１１０を支持可能となる。また、膨張部材２２は、内部の空気の圧力により膨張するため、膨張部材２２は、排出溝１１３において、径方向だけでなく周方向にも支持する。
【００４７】
先導体１１０は、カッタヘッド１１２が回転しながら元押装置１２０により押圧されることで、土中を推進するため、先導体１１０には、回転モーメントが発生する。しかし、止水装置１は、膨張部材２２により、先導体１１０を支持することで、膨張部材２２が接触する先導体１１０の外面に均一に圧力を印可させるため、回転モーメントに対して抗う方向にも先導体１１０を支持する。このため、膨張部材２２は、回転モーメントによる先導体１１０の回動を防止することが可能となる。
【００４８】
止水装置１は、坑口エントランス２１０に固定された止水環１０の膨張部材２２により先導体１１０を支持することで、先導体１１０の自重による下方への倒れ等を防止することが可能となる。このため、発進時の先導体１１０の推進方向を維持可能となり、線形不良を防止し、施工性を向上させることが可能となる。
【００４９】
止水装置１は、膨張部材２２により、先導体１１０の外面及び排出溝１１３の一部を支持するため、先導体１１０の推進方向に対して干渉することがなく、結果、先導体１１０の推進を阻害することがない。
【００５０】
また、膨張部材２２と第２部材２５との間には、その内径が第２部材２５よりも小径の保護部材２３を設けることで、保護部材２３の第２部材２５内周面よりも突出する内周部により膨張部材２２を保護することができる。
【００５１】
具体的に説明すると、膨張部材２２は、エアーの圧送、又は、先導体１１０や土圧による押圧により、径方向だけでなく幅方向へも膨張することとなる。この幅方向への膨張が大きくなり、膨張部材２２と第２部材２５とが干渉すると、当該干渉により膨張部材２２の損傷の虞がある。当該損傷部を有する状態で膨張部材２２が膨張することで、膨張部材２２の強度が部分的に低下する。
【００５２】
しかし、この保護部材２３を設けることで、膨張部材２２が第２部材２５へと直接接触することを防止可能となり、膨張部材２２の損傷を極力防止することが可能となる。このため、膨張部材２２の寿命を向上させることが可能となる。
【００５３】
また、本実施形態の膨張部材２２は、二重又は複数積層された構成とすることで、外側の膨張部材２２が万が一破損しても、少なくとも内部の膨張部材２２の破損を防止することができる。これらのことにより、より高い信頼性を有する止水装置１とすることが可能となる。
【００５４】
さらに、密閉部材１１は、シール部材３２間に支持部材３１が介在されることで、固定部材２１及び坑口エントランス２１０の締結部材Ｂを支持部材３１で支持することが可能となる。換言すると、固定部材２１及び坑口エントランス２１０の締結部材Ｂが、互いに干渉することがないため、互いの締結部材Ｂが干渉しないように、位相をずらして配置する等、互いの締結部材Ｂの位置を考慮することない。このため、止水装置１を坑口エントランス２１０に固定する作業の作業性が向上する。
【００５５】
上述したように、本実施形態の止水装置１によれば、膨張する膨張部材２２により、先導体１１０の全周に渡り密閉及び支持することで、高い止水効果及び信頼性を得るとともに、先導体１１０の支持及び回動の防止とするが可能となる。
【００５６】
なお、本発明は前述した実施の形態に限定されるものではない。上述した例では、膨張部材２２及び第１部材２４間にエアコンプレッサ１３で圧送された空気を封入することで、膨張部材２２を膨張させる構成を説明したがこれに限定されない。例えば、膨張部材２２は、水や作動油等の液体により膨張させる構成であってもよい。このような構成とする場合には、流体圧縮機１３を、水や作動油等の液体を圧送可能な流体ポンプとすればよい。また、膨張部材２２は、空気ではなく、他のガスで膨張させる構成であってもよい。
【００５７】
また、上述した例では、膨張部材２２は、ゴム材料により形成された二重又は複数積層した構成を説明したが、例えば、各膨張部材２２のゴム材料を、異なる性質の材料としてもよい。例えば、内側の膨張部材２２は、外側の膨張部材２２よりも伸張率（膨張率）の大きな材料としてもよく、また、摩擦に対する強度を異ならせてもよい。さらに、内側及び外側の膨張部材２２において、膨張部材２２の厚さを変えてもよい。
【００５８】
また、上述した膨張部材２２は、二重又は複数積層された構成を説明したがこれに限定されない。膨張部材２２は、一枚であってもよい。例えば、膨張部材２２の損傷が極力抑えられるような土質等においては、複数積層する必要がなく、また、膨張部材２２の厚みや材料によっても、適宜その枚数を設定することは可能となる。
【００５９】
また、上述した例では、密閉部材１１は、支持部材３１及び支持部材３１の両主面に設けられたシール部材３２を有する構成を説明したがこれに限定されない。例えば、一枚のシール部材３２により構成されていてもよい。このような構成とした場合には、上述した止水装置１を坑口エントランス２１０に固定する作業性の向上の効果を得ることはできない。しかし、シール部材３２により、坑口エントランス２１０及び固定部材２１間を密閉する機能は有しているため、止水装置１による止水効果を得ることができる。この他、本発明の要旨を逸脱しない範囲で種々変形実施可能である。
【符号の説明】
【００６０】
１…止水装置、１０…止水環、１１…密閉部材、１２…弁装置、１３…流体圧縮機（エアコンプレッサ）、２１…固定部材、２２…膨張部材、２３…保護部材、２４…第１部材、２５…第２部材、２６…接続部、２７…開閉弁、２８…逃し弁、３１…支持部材、３２…シール部材、１００…推進装置、１１０…先導体、１１１…外郭部材、１１２…カッタヘッド、１１３…排出溝、１２０…元押装置、１３０…推進管、１４０…運転操作盤、２００…発進立坑、２０１…到達立坑、２１０…坑口エントランス、２１１…坑口、２１２…壁面、Ｂ…締結部材、Ｄ…配管。
【図１】
2012097421.tif 000003
【図２】
2012097421.tif 000004
【図３】
2012097421.tif 000005
【図４】
2012097421.tif 000006
【図５】
2012097421.tif 000007